(57)【特許請求の範囲】
【請求項１】
有価媒体の種類ごとに、偽造有価媒体に係る特徴情報に基づいて特定される該有価媒体の画像の注意すべき領域と、注意すべき領域ごとの注意情報を記憶する記憶手段と、
評価対象となる有価媒体の種類を特定する特定手段と、
前記特定手段により特定された前記有価媒体の種類に対応する、前記記憶手段により記憶された前記有価媒体の注意すべき領域と該注意すべき領域ごとの注意情報を出力する出力手段と、
前記出力手段により出力された前記有価媒体の注意すべき領域と該注意すべき領域ごとの注意情報についての確認結果を入力する入力手段と
を備えたことを特徴とする有価媒体処理装置。
【請求項２】
前記出力手段は、
前記入力手段によって入力された確認結果を出力する
ことを特徴とする請求項１に記載の有価媒体処理装置。
【請求項３】
前記記憶手段により記憶される前記注意情報を更新する更新手段をさらに備えたことを特徴とする請求項１又は２に記載の有価媒体処理装置。
【請求項４】
前記更新手段は、
前記有価媒体の種類に対する新たな偽造有価媒体の特徴に係る情報に基づいて前記記憶手段により記憶される前記注意情報を更新する
ことを特徴とする請求項３に記載の有価媒体処理装置。
【請求項５】
評価対象の有価媒体の画像を取得する画像取得手段
をさらに備え、
前記出力手段は、
前記画像取得手段により取得された前記評価対象の有価媒体の画像を前記注意情報と併せて出力する
ことを特徴とする請求項１〜４のいずれか一つに記載の有価媒体処理装置。
【請求項６】
前記注意情報を装置外部より取得して、装置外部より取得した前記注意情報に基づいて前記記憶手段により記憶された前記注意情報を更新する注意情報更新手段
をさらに備えたことを特徴とする請求項１〜５のいずれか一つに記載の有価媒体処理装置。
【請求項７】
有価媒体の種類ごとに、偽造有価媒体に係る特徴情報に基づいて特定される該有価媒体の画像の注意すべき領域と、注意すべき領域ごとの注意情報を記憶する記憶ステップと、
評価対象となる有価媒体の種類を特定する特定ステップと、
前記特定ステップにより特定された前記有価媒体の種類に対応する、前記記憶ステップにより記憶された前記有価媒体の注意すべき領域と該注意すべき領域ごとの注意情報を出力する出力ステップと、
前記出力ステップにより出力された前記有価媒体の注意すべき領域と該注意すべき領域ごとの注意情報についての確認結果を入力する入力ステップと
を含んだことを特徴とする有価媒体処理方法。
【請求項８】
前記記憶ステップにより記憶される前記注意情報を更新する更新ステップをさらに含んだことを特徴とする請求項７に記載の有価媒体処理方法。
【発明の詳細な説明】
【技術分野】
【０００１】
この発明は、撮像した有価媒体の画像に基づいて有価媒体の真偽判定を行うための有価媒体処理装置及び有価媒体処理方法に関する。
【背景技術】
【０００２】
従来、銀行などの金融機関では、顧客から貨幣や小切手などの有価媒体を受け付けて、入金、振込及び税公金の収納などの様々な業務が行われている。また、金融機関では、このような業務を効率よく実施するために、顧客から受け付けた貨幣が真正であるか否かを判定することができる貨幣処理装置が導入されている。かかる貨幣処理装置は、投入された貨幣の金種を識別し、投入された貨幣が真正な貨幣であるか否かの判定を行うとともに、汚損の程度を判定する。そして、貨幣処理装置は、投入された貨幣が真正であり且つ汚損の程度が低いと判定された場合には投入された貨幣を装置内に収納し、真正ではないと判定された場合や、汚損の程度が高いと判定された場合には投入された貨幣を装置外に排出する。
【０００３】
ところが、貨幣処理装置によっては、投入された貨幣を装置外に排出する排出口が、真正でないと判定された貨幣を排出する排出口と、汚損の程度が高いと判定された貨幣を排出する排出口とが分かれておらず、いずれの場合にも同じ排出口に排出されることになる。金融機関では、汚損していても真正な貨幣であれば貨幣として取り扱うが、真正な貨幣ではないと判定された場合には貨幣として取り扱わない。つまり、排出された貨幣についての取り扱いを決めるためには、排出された貨幣について真正な貨幣であるか否かの判定を行う必要がある。
【０００４】
また、投入された貨幣を装置外に排出する排出口が、真正ではないと判定された貨幣を排出する排出口と、汚損の程度が高いと判定された貨幣を排出する排出口とが分かれていたとしても、真正ではないと判定された貨幣であっても実際には汚損により真正ではないと判定されている場合や、偽券を汚損の程度が高いと判定されている場合もある。
【０００５】
このため、貨幣処理装置から排出された貨幣について、汚損の程度には関係なく、真正な貨幣であるか否かを判定するための技術が知られている。例えば、特許文献１には、真正な貨幣の特徴が現れる貨幣上の複数の領域の画像情報を有し、それぞれの領域に対応する判定対象の貨幣の画像情報を取得して、それぞれの領域ごとに真正な貨幣の画像と判定対象の貨幣の画像とを比較可能に表示することによって担当者が目視により判定対象の貨幣の真偽判定を容易に行えるようにした有価媒体処理装置が開示されている。
【先行技術文献】
【特許文献】
【０００６】
【特許文献１】特開２０１４−１７８９４８号公報
【発明の概要】
【発明が解決しようとする課題】
【０００７】
しかしながら、偽造貨幣が新たに発見された場合には、判定対象の貨幣の真偽判定において、真正な貨幣の特徴との比較に加えて、発見された偽造貨幣の特徴との比較も行っており、かかる偽造貨幣の特徴との比較作業が完全に人手による作業となっている。この点について詳しく説明する。偽造貨幣が発見されると、関係機関から金融機関に対してかかる偽造貨幣の特徴などの情報が通達され、金融機関では受け付けた情報が記された資料を作成し、作成した資料を各営業店に配布する。各営業店においては、担当者が、配布された資料に記された情報を参照して、貨幣処理装置から排出された貨幣について資料に記載された偽造貨幣なのか否かを目視で判定している。
【０００８】
このように配布された資料に記載された偽造貨幣なのか否かの判定作業を人が行うため、作業を行う人によっては判定作業が適切に行われなない可能性があるとともに、判定作業が非常に非効率である。これらのことから、新たな偽造貨幣が発見され、金融機関が発見された偽造貨幣に係る特徴情報を入手した時に、入手した情報に係る偽造貨幣であるか否かの判定作業をいかにして適切且つ効率的に行えるようにするかが重要な課題となっている。
【０００９】
本発明は、上述した従来技術の課題を解決するためのものであって、新たな偽造貨幣が発見され、金融機関が発見された偽造貨幣に係る特徴の情報を入手した時に、偽造貨幣であるか否かの判定作業を適切且つ効率的に行える有価媒体処理装置及び有価媒体処理方法を提供することを目的とする。
【課題を解決するための手段】
【００１０】
上述した課題を解決し、目的を達成するため、本発明は、有価媒体の種類ごとに、偽造有価媒体に係る特徴情報に基づいて特定される該有価媒体の画像の注意すべき領域と、注意すべき領域ごとの注意情報を記憶する記憶手段と、評価対象となる有価媒体の種類を特定する特定手段と、前記特定手段により特定された前記有価媒体の種類に対応する、前記記憶手段により記憶された前記有価媒体の注意すべき領域と該注意すべき領域ごとの注意情報を出力する出力手段と、前記出力手段により出力された前記有価媒体の注意すべき領域と該注意すべき領域ごとの注意情報についての確認結果を入力する入力手段とを備えたことを特徴とする。
また、本発明は、上記発明において、前記出力手段は、前記入力手段によって入力された確認結果を出力することを特徴とする。
また、本発明は、上記発明において、前記記憶手段により記憶される前記注意情報を更新する更新手段をさらに備えたことを特徴とする。
【００１１】
また、本発明は、上記発明において、前記更新手段は、前記有価媒体の種類に対する新たな偽造有価媒体の特徴に係る情報に基づいて前記記憶手段により記憶される前記注意情報を更新することを特徴とする。
【００１２】
また、本発明は、上記発明において、評価対象の有価媒体の画像を取得する画像取得手段をさらに備え、前記出力手段は、前記画像取得手段により取得された前記評価対象の有価媒体の画像を前記注意情報と併せて出力することを特徴とする。
【００１５】
また、本発明は、上記発明において、前記注意情報を装置外部より取得して、装置外部より取得した前記注意情報に基づいて前記記憶手段により記憶された前記注意情報を更新する注意情報更新手段をさらに備えたことを特徴とする。
【００１６】
また、本発明は、有価媒体の種類ごとに、偽造有価媒体に係る特徴情報に基づいて特定される該有価媒体の画像の注意すべき領域と、注意すべき領域ごとの注意情報を記憶する記憶ステップと、評価対象となる有価媒体の種類を特定する特定ステップと、前記特定ステップにより特定された前記有価媒体の種類に対応する、前記記憶ステップにより記憶された前記有価媒体の注意すべき領域と該注意すべき領域ごとの注意情報を出力する出力ステップと、前記出力ステップにより出力された前記有価媒体の注意すべき領域と該注意すべき領域ごとの注意情報についての確認結果を入力する入力ステップとを含んだことを特徴とする。
また、本発明は、上記発明において、前記記憶ステップにより記憶される前記注意情報を更新する更新ステップをさらに含んだことを特徴とする。
【発明の効果】
【００１７】
本発明によれば、新たな偽造貨幣が発見され、金融機関が発見された偽造貨幣に係る特徴の情報を入手した時に、偽造貨幣であるか否かの判定作業を適切且つ効率的に行うことができる。
【図面の簡単な説明】
【００１８】
【図１】図１は、実施例１に係る貨幣処理装置における偽造貨幣の注意喚起情報の登録及び登録された注意喚起情報に基づく貨幣の真偽判定に係る処理の概要を説明するための説明図である。
【図２】図２は、実施例１に係る貨幣処理装置における偽造貨幣の注意喚起情報の登録に係る画面構成を説明するための図である。
【図３】図３は、実施例１に係る貨幣処理装置において登録された注意喚起情報を用いて行われる貨幣の真偽判定に係る処理の画面構成を説明するための図である。
【図４】図４は、実施例１に係る貨幣処理装置に係る機能的な内部構成を示すブロック図である。
【図５】図５は、実施例１に係る貨幣処理装置のデータ構成について説明するための図である。
【図６】図６は、貨幣処理装置における実施例１に係る貨幣の真偽判定に係る処理の処理手順を示すフローチャートである。
【図７】図７は、実施例２に係る貨幣処理装置において登録された注意喚起情報を用いて行われる貨幣の真偽判定に係る処理の画面構成を説明するための図である。
【図８】図８は、実施例２に係る貨幣処理装置に係る機能的な内部構成を示すブロック図である。
【図９】図９は、実施例２に係る貨幣処理装置のデータ構成について説明するための図である。
【図１０】図１０は、貨幣処理装置における実施例２に係る貨幣の真偽判定に係る処理の処理手順を示すフローチャートである。
【発明を実施するための形態】
【００１９】
以下に、添付図面を参照して、本発明に係る有価媒体処理装置及び有価媒体処理方法の好適な実施例を詳細に説明する。
【実施例１】
【００２０】
まず、実施例１に係る貨幣処理装置１００における偽造貨幣の注意喚起情報の登録及び登録された注意喚起情報に基づく貨幣の真偽判定に係る処理の概要について図１を用いて説明する。
【００２１】
図１の左に示した画面は、偽造貨幣に係る注意喚起情報を図１の中央に示す貨幣処理装置１００に登録するときに使用する注意喚起情報登録画面のイメージを表している。また、図１の中央には注意喚起情報の登録先である貨幣処理装置１００が示され、該貨幣処理装置１００は、イメージスキャナ１３０が接続され、登録された注意喚起情報を注意喚起データ１５２として保有していることを表している。
【００２２】
図１の左の注意喚起情報の登録画面のイメージに示すように、当該画面にはイメージスキャナ１３０で取得した注意喚起情報の登録対象となる紙幣の画像が表示される。また、表示された紙幣の画像に対して注意すべき領域の指定が可能で、図１の左の注意喚起情報の登録画面の例では、Ａ及びＢの点線で囲まれた領域が注意すべき領域として指定されていることを示している。また、Ａ及びＢのそれぞれの領域に対して、具体的な注意情報の登録が可能で、図１の左の注意喚起情報の登録画面の例では、それぞれの領域に対して注意情報（「注意情報Ａ」及び「注意情報Ｂ」）が指定されていることを示している。
【００２３】
図１の左の注意喚起情報の登録画面の例は、注意喚起情報登録に係る最終確認画面であって、注意喚起情報の対象となる種類の紙幣の画像と、その画像における注意すべき領域と、その領域ごとの注意情報が表示され、画面最下部には、表示された内容を注意喚起データ１５２に登録することを指示するための「登録実行」ボタンが配置される。図１の左の注意喚起情報登録画面において、「登録実行」ボタンが操作されると、指定された紙幣の券種及び金種に関連付けて画面に表示された紙幣の画像データ、指定された注意すべき領域を示す情報及び領域ごとの注意情報が注意喚起データ１５２に登録される。
【００２４】
図１の右に示した画面は、貨幣処理装置１００を用いて紙幣の真偽判定を行う場合に表示される画面のイメージである。貨幣処理装置１００は、真偽判定対象の紙幣の画像をイメージスキャナ１３０で読み取り、読み取った紙幣の画像を画面に表示し、読み取った紙幣の券種及び金種が特定されたならば、読み取った紙幣の券種及び金種に対応する注意すべき領域と該領域ごとの注意情報の表示を行う。注意情報は、図１の右の画面例に示した様に、イメージスキャナ１３０で取得された真偽判定対象の紙幣の画像上に点線で囲んで示される注意すべき領域と対応付けられて表示される。
【００２５】
また、図１の右の画面例に示した様に、表示された真偽判定対象の紙幣の画像と、それぞれの注意情報とに基づいて判定した結果を入力するための、真券であると判定したことを示す「真券」ボタンと、偽券で有ると判定したことを示す「偽券」ボタンとが配置される。担当者は、画面上に表示されえた紙幣の画像上の点線で囲われた注意すべき領域ごとに、その領域に対する注意情報に基づいて真偽判定した結果を「真券」ボタン又は「偽券」ボタンを用いて入力し、それぞれの注意すべき領域ごとの判定結果を入力したならば、画面下部に設けられる「判定終了」ボタン押下を行うことにより処理を終了する。
【００２６】
図１の説明では、紙幣を対象とした例を説明しているが、本発明は、紙幣に限定するものではない。例えば、硬貨を対象としてもよいし、貨幣以外の有価証券などの有価媒体を対象としてもよい。
【００２７】
このように、貨幣処理装置１００は、入手した偽造貨幣に係る特徴情報に基づいて、貨幣上の注意すべき領域と、注意すべき領域ごとの注意情報を注意喚起情報として券種及び金種に関連付けて登録することができ、真偽判定対象の貨幣の画像を取得し、真偽判定対象の貨幣の券種及び金種を特定したならば、事前に登録された注意喚起情報に基づいて取得した真偽判定対象の貨幣の画像上に注意すべき領域を示すとともに、注意情報を注意すべき領域に対応付けて表示するようにしたので、新たな偽造貨幣が発見され、金融機関が発見された偽造貨幣に係る特徴の情報を入手した時に、偽造貨幣であるか否かの判定作業を適切且つ効率的に行うことができる。
【００２８】
次に、実施例１に係る貨幣処理装置１００における偽造貨幣の注意喚起情報の登録に係る画面構成について図２を用いて説明する。
【００２９】
図２（ａ）は、注意喚起情報の登録に係る貨幣の種類を入力するための初期画面である。図２（ａ）に示すように画面の左側には、登録する注意喚起情報の対象となる貨幣の券種を選択するためのトグルボタンが配置され、Ａ券、Ｂ券、Ｃ券、Ｄ券又はＥ券のいずれかの選択が可能である。貨幣は、同一の金種であっても発行年月日によりデザインが異なっており、券種とは、このような同一金種でもデザインを複数種類有する場合の貨幣の種類を識別するための識別情報である。例えば、直近の紙幣はＥ券と呼ばれており、１世代前のデザインの紙幣はＤ券と呼ばれている。
【００３０】
また、図２（ａ）の中央には、選択された券種に対応する金種ごとの情報が表示され、図２（ａ）の右側には、注意喚起情報の登録対象となる貨幣の金種を選択するための「選択」ボタンが配置される。図２（ａ）の中央に表示される金種ごとの情報には、金種ごとに、注意喚起情報が既に登録されているか否かを示す情報と、表面及び裏面の貨幣の画像が既に登録されているか否かを示す情報とを含む。図２（ａ）の中央に示す情報は、Ｄ券の万円券の注意喚起情報が登録されており、その注意喚起情報は当該貨幣の表面の画像及び裏面の画像を有しており、Ｄ券の五千円券の注意喚起情報が登録されておらず、当該貨幣の表面の画像及び裏面の画像も無く、Ｄ券の二千円券の注意喚起情報が登録されておらず、当該貨幣の表面の画像及び裏面の画像も無く、Ｄ券の千円券の注意喚起情報が登録されており、その注意喚起情報は当該貨幣の表面の画像及び裏面の画像を有していることを示している。
【００３１】
また、図２（ａ）の右側の千円券に対する「選択」ボタンが押下された状態となっており、Ｄ券の千円券に対する注意喚起情報を登録することが指定されていることを示している。また、画面最下部には指定された券種及び金種に対する注意喚起情報の登録を開始することを指示するための「登録開始」ボタンが配置される。図２（ａ）に示した画面の状態で「登録開始」ボタンが押下されるとＤ券の千円券に対する注意喚起情報の登録処理が開始されることになる。
【００３２】
図２（ａ）の画面で、券種及び金種が選択されて「登録開始」ボタンが選択されると図２（ｂ）のような画面に遷移する。図２（ｂ）に示す画面の例は、指定された券種及び金種に対する貨幣の表面の画像が既に登録されている場合若しくはまだ登録されていないがイメージスキャナ１３０等により貨幣の表面の画像が取得された場合の画面の例である。また、対応する画像がまだ登録されていない場合若しくはイメージスキャナ１３０等により貨幣の画像がまだ取得されていない場合には、画面タイトルの下に配置される「スキャナ取込」ボタンの操作により接続されるイメージスキャナ１３０で貨幣の画像を取得するか、「ファイル指定」ボタンの操作により装置内の磁気ディスクやネットワークドライブ上の画像ファイルを取得することよって画面中央に取得した画像を表示することが可能である。
【００３３】
また、図２（ｂ）の画面の左下には、図２（ａ）の画面に戻ることを指定するための「戻る」ボタンが配置される。また、図２（ｂ）の画面の中央下には、画面上に表示された貨幣の画像上の注意すべき領域を指定するための「位置指定」ボタンが配置される。「位置指定」ボタンが操作されると、画面上に表示される画像上を指でタッチすることなどにより注意すべき領域の指定が可能となる。図２（ｂ）の例は、貨幣の画像上にＡで示される点線で囲われた領域と、Ｂで示される点線で囲われた領域とが注意すべき領域として指定されていることを表している。また、図２（ｂ）の画面の右下には、表示された貨幣の表面の画像と画像上に指定された注意すべき領域の指定を確認した旨を示す「確認」ボタンが配置される。
【００３４】
図２（ｂ）の画面で「確認」ボタンの操作が行われると、続いて貨幣の裏面の画像の確認と画像上の注意すべき領域の指定を行うための画面が表示される。この画面でさらに「確認」ボタンの操作が行われると、図２（ｃ）の画面に遷移する。図２（ｃ）の画面は、図２（ｂ）の画面で指定した貨幣の画像上のＡの領域に対する注意情報を登録するための画面の例である。
【００３５】
注意情報を登録するための画面は、図２（ｃ）に示すように、図２（ｂ）で登録した貨幣の画像と、図２（ｂ）で指定された注意すべき領域を示す点線と、当該領域に対応する注意情報である文字情報を入力するためのテキストボックスとが表示される。
【００３６】
また、図２（ｃ）の画面の左下には、直前に表示されていた画面に戻るための「戻る」ボタンが配置される。また、図２（ｃ）の画面の右下には、画面中央に配置されたテキストボックスに入力された注意情報を確認した旨を示す「確認」ボタンが配置される。図２（ｃ）の画面において、「確認」ボタンの操作が行われると、その他の注意すべき領域に対する注意情報を入力するための画面を順番に表示する。
【００３７】
全ての注意すべき領域に対する注意情報の入力及び確認が終了すると、図２（ｄ）に示したような注意喚起情報の登録内容の確認画面が表示される。注意喚起情報の登録内容の確認画面では、図２（ｄ）に示すように、図２（ｂ）で登録及び確認された貨幣の画像上における注意すべき領域と、図２（ｃ）で登録及び確認された注意すべき領域に対応する注意情報とが関連付けられて表示される。また、図２（ｃ）の画面の下部には、直前に表示されていた画面に戻るための「戻る」ボタンと、表示された内容で登録を実行するための「登録実行」ボタンとが配置される。
【００３８】
次に、実施例１に係る貨幣処理装置１００において登録された注意喚起情報を用いて行われる貨幣の真偽判定に係る処理の画面構成について図３を用いて説明する。
【００３９】
図３（ａ）の画面は、真偽判定対象の貨幣の画像をスキャンするための画面である。図３（ａ）に示すように、画面最上部には真偽判定対象の貨幣をイメージスキャンする旨のメッセージが表示される。また、画面下部には、貨幣の表面の画像のスキャンを指示するための「表面スキャン」ボタンと、貨幣の裏面の画像のスキャンを指示するための「裏面スキャン」ボタンとが配置される。
【００４０】
図３（ａ）において貨幣の表面及び裏面のスキャンが行われると、図３（ｂ）に示す画面に遷移する。図３（ｂ）は、図３（ａ）の画面においてスキャンした貨幣の券種及び金種を指定するための画面である。画面の最上部と最下部を除く中段の表示内容は図２（ａ）と同じで、券種及び金種を指定するための領域である。画面下部には、図３（ａ）の画面に戻るための「戻る」ボタンと、画面中段において券種及び金種の指定された内容を確認した旨を入力するための「確認」ボタンとが配置される。
【００４１】
図３（ｂ）の券種及び金種の入力については、マウス等のポインティングデバイスによりトグルボタンや「選択」ボタンの操作により指定してもよいが、スキャンした画像データに基づいて自動入力されるものとしてもよい。
【００４２】
図３（ｂ）の画面で「確認」ボタンの押下操作を受け付けると、図３（ｃ）に示したような画面に遷移する。図３（ｃ）の画面は、図３（ａ）の画面でイメージスキャンした貨幣の真偽判定を行うための画面である。図３（ｃ）に示すように、画面中央には図３（ａ）の画面でイメージスキャンした貨幣の画像に、図３（ｂ）で指定した券種及び金種に対して登録されている注意すべき領域が重ね合わせて表示される。また、注意情報がそれぞれの注意すべき領域に対応付けて表示されるとともに、各領域ごとに注意情報に基づいて真券であるか偽券であるのかを入力するための「真券」ボタンと「偽券」ボタンとが配置される。図３（ｃ）の画面の例は、図３（ａ）でスキャンしたイメージデータに対して注意すべき領域が２箇所設定されており、それぞれの注意すべき領域に対する真偽判定で真券であるという入力を受け付けた状態を示している。
【００４３】
また、図３（ｃ）の画面下部には、図３（ｂ）の画面に戻るための「戻る」ボタンと、それぞれの注意すべき領域に対する真偽判定内容を確認した旨の入力をするための「確認」ボタンとが配置される。当該「確認」ボタンの操作が行われると、図３（ａ）でスキャンした貨幣の真偽判定結果を真偽判定処理の履歴として記録して処理を終了する。
【００４４】
次に、実施例１に係る貨幣処理装置１００に係る機能的な内部構成について説明する。図４は、実施例１に係る貨幣処理装置１００に係る機能的な内部構成を示すブロック図である。貨幣処理装置１００は、表示部１１０、入力部１２０及びイメージスキャナ１３０と接続される。表示部１１０は、液晶パネル等のディスプレイ装置であり、入力部１２０は、キーボードやマウス等である。また、イメージスキャナ１３０は、真偽判定対象の貨幣の画像データを取得する画像取得部である。
【００４５】
また、貨幣処理装置１００は、通信部１４０と、記憶部１５０と、制御部１６０とを有する。通信部１４０は、ＬＡＮ等の通信線を介して他の装置とデータ通信するためのインタフェース部である。
【００４６】
記憶部１５０は、ハードディスク装置や不揮発性メモリ等からなる記憶デバイスである。記憶部１５０は、操作者データ１５１、注意喚起データ１５２、登録イメージデータ１５３、検査イメージデータ１５４及び処理履歴データ１５５を有している。
【００４７】
操作者データ１５１は、貨幣処理装置１００の使用に際して認証された操作者に係る情報である。注意喚起データ１５２は、偽造券の特徴情報のうち貨幣の画像情報以外の情報を記録したデータである。登録イメージデータ１５３は、偽造券の特徴情報のうち貨幣の画像情報に対応するデータである。検査イメージデータ１５４は、イメージスキャナ１３０で取得した真偽判定対象の貨幣の画像データである。処理履歴データ１５５は、当該貨幣処理装置１００で行われた真偽判定処理の履歴情報である。
【００４８】
制御部１６０は、貨幣処理装置１００の全体を制御する制御部であり、操作者認証部１６１、注意喚起データ管理部１６２、貨幣検査部１６３及び履歴照会処理部１６４を有する。実際には、これらの機能部に対応するプログラムを図示しないＲＯＭや不揮発性メモリに記憶しておき、これらのプログラムをＣＰＵ（Central Processing Unit）にロードして実行することにより、対応するプロセスを実行させることになる。
【００４９】
操作者認証部１６１は、貨幣処理装置１００の使用開始時に行われる操作者の認証処理を行い、認証された操作者の情報を操作者データ１５１に登録する。また、操作者認証部１６１は、操作者によるログオフ等の使用終了を示す操作を受け付けると操作者データ１５１を初期化する。
【００５０】
注意喚起データ管理部１６２は、図２に示したような画面の操作と、イメージスキャナ１３０などで取得した貨幣の画像データに基づいて、注意喚起データ１５２及び登録イメージデータ１５３の登録及び更新を行う処理部である。また、注意喚起データ管理部１６２は、通信部１４０等を通して他の装置から注意喚起情報を受け付けて、受け付けた注意喚起情報に基づいて注意喚起データ１５２及び登録イメージデータ１５３の更新を行うこともできる。
【００５１】
貨幣検査部１６３は、注意喚起データ管理部１６２により登録される注意喚起データ１５２及び登録イメージデータ１５３と、イメージスキャナ１３０で取得した貨幣の画像データである検査イメージデータ１５４とに基づいて、図３に示したような画面に係る処理を通して貨幣の真偽判定処理を制御する処理部である。また、貨幣検査部１６３は、真偽判定処理の結果を処理履歴データ１５５に登録する。
【００５２】
履歴照会処理部１６４は、処理履歴データ１５５に含まれる個々の真偽判定処理の履歴情報の照会処理及び処理履歴に対する集計及び集計結果の出力処理を行う処理部である。
【００５３】
次に、実施例１に係る貨幣処理装置１００のデータ構成について図５を用いて説明する。
【００５４】
操作者データ１５１は、認証処理において認証された操作者の担当者コードと、担当者名を含むデータである。図５に示す操作者データ１５１の例は、認証処理において認証された操作者の担当者コードが「１２３４」で、該担当者コードに対応する担当者名が「高橋一郎」であることを示している。
【００５５】
注意喚起データ１５２は、券種、金種及び表裏区分に関連付けられた偽造券の注意喚起情報をレコードの保有項目とするデータである。注意喚起情報には、識別情報と、注意すべき領域に対応する対象位置情報と、注意情報に対応する文字情報とを含む。注意喚起情報は、同一の券種、金種及び表裏区分に対して複数登録することが可能であることから、同一の券種、金種及び表裏区分に対する注意喚起情報を識別するために識別情報を含む。この識別情報は、図２（ｂ）に示した画面の「Ａ」及び「Ｂ」に対応する。図２（ｂ）に示すように同一の券種、金種及び表裏区分に対する注意喚起情報が複数存在する場合は、複数の注意喚起情報は、注意喚起データ１５２の複数のレコードとして登録されることになる。
【００５６】
図５の注意喚起データ１５２の例は、券種が「Ｅ券」で、金種が「万円券」で表裏区分が「表」に対して、識別情報が「Ａ」の注意喚起情報が登録されているレコードが含まれていることを示している。
【００５７】
登録イメージデータ１５３は、券種、金種及び表裏区分に関連付けられた貨幣の画像データをレコードの保有項目とするデータである。図５の注意喚起データ１５２の例は、券種が「Ｅ券」で、金種が「万円券」で表裏区分が「表」に対する画像データが登録されていることを示している。
【００５８】
検査イメージデータ１５４は、図３（ｂ）の画面で入力された真偽判定対象の貨幣の券種及び金種と、イメージスキャナ１３０で取得したされた真偽判定対象の貨幣の表面の画像データと裏面の画像データとを含む。図５の検査イメージデータ１５４の例は、真偽判定対象の券種が「Ｄ券」で、金種が「千円券」であることを示している。
【００５９】
処理履歴データ１５５は、真偽判定処理が行われた日付、時刻、真偽判定処理を行った担当者を識別する担当者コード、真偽判定の判定結果、真偽判定の対象となった貨幣の券種、金種、偽券と判定された場合の偽券と判定した注意喚起情報の識別情報、真偽判定の対象となった貨幣の表面の画像データ及び裏面の画像データをレコード項目とするデータである。
【００６０】
図５の処理履歴データ１５５のレコードの例は、真偽判定処理が行われた日付が「２０１５／５／１０」で、時刻が「１３：００：００」で、真偽判定処理を行った担当者を識別する担当者コードが「１２３４」で、真偽判定の判定結果が「真券」で、真偽判定の対象となった貨幣の券種が「Ｄ券」で、金種が「五千円券」であることを示している。
【００６１】
次に、貨幣処理装置１００における実施例１に係る貨幣の真偽判定に係る処理の処理手順について図６に示すフローチャートを用いて説明する。
【００６２】
貨幣検査部１６３は、図３（ａ）に示したような真偽判定対象の貨幣の画像を取得するための初期画面を表示して、当該画面における「表面スキャン」ボタン及び「裏面スキャン」ボタンの押下に応じてイメージスキャナ１３０にセットされた貨幣の画像データを取得する（ステップＳ１０１）。貨幣検査部１６３は、ステップＳ１０１の貨幣画像取得処理で取得した画像を、検査イメージデータ１５４に登録する。
【００６３】
ステップＳ１０１の貨幣画像取得処理で真偽判定対象の貨幣の表面及び裏面の画像が取得済みの場合（ステップＳ１０２；Ｙｅｓ）には、貨幣検査部１６３は、図３（ｂ）に示したような検査対象の貨幣の券種及び金種の入力を受け付ける（ステップＳ１０３）。貨幣検査部１６３は、ステップＳ１０３で検査対象の貨幣の券種及び金種の入力を受け付けたならば、検査イメージデータ１５４に受け付けた券種及び金種の情報を登録する。ステップＳ１０１の貨幣画像取得処理でまだ真偽判定対象の貨幣の表面及び裏面の両面の画像が取得済みではない場合（ステップＳ１０２；Ｎｏ）には、ステップＳ１０１に戻ることにより両面の画像が取得されることを待ち合わせる。
【００６４】
ステップＳ１０３で表示された画面において、画面に表示された券種及び金種の確認が行われたことを示す「確認」ボタンの押下を受け付けた場合（ステップＳ１０４；Ｙｅｓ）には、ステップＳ１０３で表示された画面で受け付けた券種及び金種の貨幣の表面に対する注意喚起情報が有るか否かについて注意喚起データ１５２を検索することによって判定し（ステップＳ１０５）、対応する注意喚起情報が有る場合（ステップＳ１０５；Ｙｅｓ）には、貨幣検査部１６３は、図３（ｃ）に示したように注意喚起データ１５２から検索された指定の券種及び金種の貨幣の表面に対する注意喚起情報に基づいて注意情報を表示して、注意情報ごとの真偽の判定結果を受け付ける（ステップＳ１０６）。
【００６５】
ステップＳ１０３で表示された画面において、画面に表示された券種及び金種の確認が行われたことを示す「確認」ボタンの押下をまだ受け付けていない場合（ステップＳ１０４；Ｎｏ）には、ステップＳ１０３に戻ることにより「確認」ボタンの押下を待ち合わせる。また、ステップＳ１０３で表示された画面で受け付けた券種及び金種の貨幣の表面に対する注意喚起情報が無い場合（ステップＳ１０５；Ｎｏ）には、ステップＳ１０８に移行する。
【００６６】
ステップＳ１０６で表示された画面において表示されたそれぞれの注意情報に対する「真券」ボタン又は「偽券」ボタンの操作が行われたのちに、それぞれの注意情報に対する判定結果の確認を行った旨を示す「確認」ボタンの操作が行われて（ステップＳ１０７；Ｙｅｓ）、ステップＳ１０３で表示された画面で受け付けた券種及び金種の貨幣の裏面に対する注意喚起情報が有る場合（ステップＳ１０８；Ｙｅｓ）には、貨幣検査部１６３は、表面の場合と同様に注意喚起データ１５２から検索された指定の券種及び金種の貨幣の裏面に対する注意喚起情報に基づいて注意情報を表示して、注意情報ごとの真偽の判定結果を受け付ける（ステップＳ１０９）。ステップＳ１０６で表示された画面において「確認」ボタンの操作が行われていない場合（ステップＳ１０７；Ｎｏ）には、ステップＳ１０６に戻ることにより「確認」ボタンが押下されることを待ち合わせる。また、ステップＳ１０３で表示された画面で受け付けた券種及び金種の貨幣の裏面に対する注意喚起情報が無い場合（ステップＳ１０８；Ｎｏ）にはステップＳ１１１に移行する。
【００６７】
ステップＳ１０９で表示された画面において表示されたそれぞれの注意情報に対する「真券」ボタン又は「偽券」ボタンの操作が行われたのちに、それぞれの注意情報に対する判定結果に対する確認を行った旨を示す「確認」ボタンの操作が行われた場合（ステップＳ１１０；Ｙｅｓ）には、貨幣検査部１６３は、検査イメージデータ１５４と、ステップＳ１０６及びステップＳ１０９で受け付けたそれぞれの注意内容に対する「真券」ボタン又は「偽券」ボタンの操作結果に基づいて処理履歴を作成し、作成した処理履歴を処理履歴データ１５５に登録して（ステップＳ１１１）、処理を終了する。具体的には、ステップＳ１０６及びステップＳ１０９で少なくとも１つの注意情報に対して「偽券」ボタンの操作を受け付けている場合には、作成する処理履歴の判定結果は「偽券」とし、偽券判定識別情報には「偽券」と判定した注意情報に対応する識別情報を登録する。また、ステップＳ１０６及びステップＳ１０９で全ての注意内容に対して「真券」ボタンの操作を受け付けている場合には、作成する処理履歴の判定結果は「真券」とする。
【００６８】
ステップＳ１０９で表示された画面において「確認」ボタンの操作が行われていない場合（ステップＳ１１０；Ｎｏ）には、ステップＳ１０９に戻ることにより「確認」ボタンが押下されることを待ち合わせる。
【００６９】
上述してきたように、実施例１では、貨幣処理装置１００は、入手した偽造貨幣に係る特徴情報に基づいて、貨幣上の注意すべき領域と、注意すべき領域ごとの注意情報を注意喚起情報として券種及び金種に関連付けて登録することができ、真偽判定対象の貨幣の画像を取得し、真偽判定対象の貨幣の券種及び金種を特定したならば、事前に登録された注意喚起情報に基づいて取得した真偽判定対象の貨幣の画像上に注意すべき領域を示すとともに、注意情報を注意すべき領域に対応付けて表示するよう構成したので、新たな偽造貨幣が発見され、金融機関が発見された偽造貨幣に係る特徴の情報を入手した時に、偽造貨幣であるか否かの判定作業を適切且つ効率的に行うことができる。
【実施例２】
【００７０】
実施例１は、同一の券種及び金種に対して多数の偽造貨幣が発見されていない場合に適した実施例として説明してきた。しかしながら、同一の券種及び金種に対して多数の偽造貨幣が発見されている場合は、偽造貨幣の種類によっては重要度が違っていたとしても、図３（ｃ）で示したように多数の注意情報を並列的に羅列するだけになってしまう。また、特定の種類の偽造貨幣であることを判定する場合には、その偽造券に複数の特徴点が有る場合には、複数の特徴点に合致することをもってその偽造券であることを判定するのが普通であるが、多数の偽造貨幣の特徴情報が混合して表示されてしまうと、偽造貨幣の種類ごとに存在する複数の特徴点との合致の程度による総合的な判断が行えず、偽造券であることを適切に判定できないという可能性もある。そこで、実施例２では、偽造券の種類毎に特徴情報を表示するとともに、偽造券の重要度に基づいて処理順番を制御できるようにした実施例を説明する。
【００７１】
まず、実施例２に係る貨幣処理装置２００において登録された注意喚起情報を用いて行われる貨幣の真偽判定に係る処理の画面構成について図７を用いて説明する。
【００７２】
図７に示す画面例は、実施例１の図３（ｃ）に対応するものであり、例えば２種類の偽造貨幣の情報があった場合に、偽造貨幣の種類ごとに注意情報を表示する画面例である。図７（ａ）の画面例は、２種類の偽造貨幣のうち重要度が高い偽造貨幣に係る注意情報の表示例で、図７（ｂ）の画面例は、２種類の偽造貨幣のうち重要度が低い偽造貨幣に係る注意情報の表示例である。図７（ａ）の画面と図７（ｂ）の画面の表示順は偽造貨幣の重要度に応じて決定される。
【００７３】
図７（ａ）の画面の例は、１つ目の偽造貨幣に係る注意情報が２つある例であり、それぞれ注意情報に対応する注意すべき領域を点線で囲むことによって示し、それぞれの領域に関連付けて注意情報が表示される。実施例１においては、それぞれの注意情報ごとに真券であるか偽券であるかの判定結果を入力するための「真券」ボタンと「偽券」ボタンとが配置されたが、実施例２では図７（ａ）に示すように、２つの注意情報に基づいて１つ目の偽造紙幣で有るのか否かの判定結果を入力するための「真券」ボタンと「偽券」ボタンとが画面右上に１セット配置される。つまり、図７（ａ）の操作者は画面に表示された２つの特徴が表れていることをもって「偽券」と判定することになる。このように複数の特徴が合致していることをもって偽券を判定することによって、例えば貨幣の汚れによって一方の特徴に合致したとしても、もう一方の特徴に合致しない場合には該当する偽券とは判定されず、不適切に偽券と判定されてしまうことを回避することができるのである。図７（ａ）の画面の下部には、直前に表示されていた画面に戻ることを指示するための「戻る」ボタンと、表示された１つ目の偽造貨幣に対する真偽判定が終了して次の偽造貨幣に対する真偽判定に進むことを指示するための「次へ」ボタンとが配置される。なお、実施例２の図７（ａ）に示すように、複数の注意情報に基づいて偽造紙幣であるか否かを判定する場合であっても、注意情報ごとに「真券」ボタンと「偽券」ボタンを配置してもよい。注意情報ごとに判定結果を入力することによって、操作者がどの注意情報に基づいて「偽券」と判定したのかが明確となる。
【００７４】
図７（ｂ）の画面の例は、図７（ａ）とは別の種類の偽造貨幣に係る注意情報を表示した例であって、当該偽造貨幣については注意情報が１つだけであることを示している。また、図７の例では、指定された券種及び金種の貨幣については２種類の偽造貨幣に係る注意喚起情報が登録されている例であるので、それぞれの種類の偽造貨幣ごとに図７（ａ）に示す画面又は図７（ｂ）に示す画面においてそれぞれの偽造紙幣に係る注意情報が表示されている。また、図７（ｂ）は、登録されている２つの偽造貨幣情報に係る注意喚起情報の最後の偽造貨幣に係る注意喚起情報であるので、図７（ａ）の画面の「次へ」ボタンの代わりに「確認終了」ボタンが配置される。
【００７５】
図７（ｂ）の画面で、「確認終了」ボタンの操作が行われると、図７（ａ）及び図７（ｂ）の画面で行われた「真券」ボタン及び「偽券」ボタンの押下状況に基づいて貨幣の真偽判定結果を真偽判定処理の履歴として記録して処理を終了する。
【００７６】
次に、実施例２に係る貨幣処理装置２００に係る機能的な内部構成を説明する。図８は、実施例２に係る貨幣処理装置２００に係る機能的な内部構成を示すブロック図である。図８に示す貨幣処理装置２００のブロック図においては、実施例１の貨幣処理装置１００と同じ構成要素については図４に示した貨幣処理装置１００のブロック図と同じ符号を付与し、実施例１の貨幣処理装置１００と異なる構成要素については図４に示した貨幣処理装置１００のブロック図とは異なる符号を新たに採番した。貨幣処理装置２００の内部構成の説明では、実施例１の貨幣処理装置１００と同じ符号を付与した構成要素についての説明は省略し、符号を新たに採番した実施例１の貨幣処理装置１００と異なる構成要素について主に説明するものとする。
【００７７】
図８に示すように、貨幣処理装置２００は、実施例１の貨幣処理装置１００と比較すると、記憶部１５０については、注意喚起データ２５２及び処理履歴データ２５５の構成が実施例１の注意喚起データ１５２及び処理履歴データ１５５と差異がある。具体的なデータ構成の差異は後述するが、注意喚起データ２５２については、偽造貨幣の種類を示す情報と重要度を示す情報とが追加となっている。また、処理履歴データ２５５については、実施例１の処理履歴データ１５５で存在した偽券判定識別情報に代わってどの種類の偽造紙幣と判定したのかを示す情報が追加となっている。
【００７８】
また、貨幣処理装置２００は、実施例１の貨幣処理装置１００と比較すると、制御部１６０については、注意喚起データ管理部２６２及び貨幣検査部２６３の処理内容が実施例１の注意喚起データ管理部１６２及び貨幣検査部１６３の処理内容と差異がある。
【００７９】
注意喚起データ管理部２６２は、注意喚起データ２５２が実施例１の注意喚起データ１５２と比較して保有項目が追加となっていることに伴ってこれらの情報を指定する機能が追加となっている。また、貨幣検査部２６３は、図７に示したように、貨幣の真偽判定処理において、注意情報を偽造貨幣の種類毎に表示するようになっている部分が実施例１の貨幣検査部１６３と異なる。また、貨幣検査部２６３は、複数の偽造貨幣にかかる注意喚起情報を有している場合には、重要度の順に画面に表示するように制御する。
【００８０】
次に、実施例２に係る貨幣処理装置２００のデータ構成について図９を用いて説明する。注意喚起データ２５２及び処理履歴データ２５５のデータ構成について、実施例１の注意喚起データ１５２又は処理履歴データ１５５と差異がある部分について主に説明する。
【００８１】
注意喚起データ２５２のレコードの保有項目は、実施例１の注意喚起データ１５２のレコードの保有項目に比較すると注意喚起情報にグループ番号及び優先度の情報が追加となっている。グループ番号は、偽造貨幣の種類に対応する識別番号ある。また、優先度は、偽造貨幣の種類に対する重要度を示す情報であって重要度が高い場合に高い優先度が設定される。
【００８２】
図９の注意喚起データ２５２の例は、券種が「Ｅ券」で、金種が「万円券」で表裏区分が「表」に対して、識別情報が「Ａ」で、グループ番号が「１」で、優先度が「１」の注意喚起情報が登録されているレコードが含まれていることを示している。
【００８３】
処理履歴データ２５５のレコードの保有項目は、実施例１の処理履歴データ１５５のレコードの項目として存在した偽券判定識別情報が無くなった代わりに、偽券判定グループ番号が追加となっている。実施例１では、図３（ｃ）で示したように個々の注意喚起情報ごとに真偽の判定を行ったことから、「偽券」であると判定した注意喚起情報に対応する識別情報を記録していたが、実施例２では図７に示したように１つの偽造紙幣のグループ番号ごとに真偽の判定を行うこととしたので、偽券判定識別情報に代わって偽券判定グループ番号が追加となっている。
【００８４】
次に、貨幣処理装置２００における実施例２に係る貨幣の真偽判定に係る処理の処理手順について図１０に示すフローチャートを用いて説明する。
【００８５】
ステップＳ２０１からステップＳ２０４までの貨幣の画像の取得処理及び真偽判定対象の貨幣の券種及び金種の受け付け処理までは、実施例１の図６に示したステップＳ１０１からステップＳ１０４までの処理と同じなので説明は省略する。
【００８６】
ステップＳ２０３で表示された画面において、画面に表示された券種及び金種の確認が行われたことを示す「確認」ボタンの押下を受け付けた場合（ステップＳ２０４；Ｙｅｓ）には、ステップＳ２０３で表示された画面で受け付けた券種及び金種の貨幣に対する注意喚起情報が有るか否かについて注意喚起データ２５２を検索することによって判定し（ステップＳ２０５）、対応する注意喚起情報が有る場合（ステップＳ２０５；Ｙｅｓ）には、貨幣検査部２６３は、注意喚起データ２５２に登録されている注意喚起情報の内、優先度の一番高いグループ番号を選択する（ステップＳ２０６）。また、ステップＳ２０３で表示された画面で受け付けた券種及び金種の貨幣に対する注意喚起情報が無い場合（ステップＳ２０５；Ｎｏ）には、ステップＳ２１２に移行する。
【００８７】
次に、貨幣検査部２６３は、図７に示したように選択されたグループ番号に対応する注意情報を画面に表示して、注意情報に対する確認結果として真偽判定の操作を受け付ける（ステップＳ２０７）。ステップＳ２０７で表示された画面で、「戻る」ボタンの押下を受け付けたならば（ステップＳ２０８；Ｙｅｓ）、直前に別のグループ番号に対応する注意内容を画面に表示していた場合（ステップＳ２０９；Ｙｅｓ）には、その直前に表示していた画面に対応するグループ番号を選択して（ステップＳ２１０）、ステップＳ２０７に戻る。また、ステップＳ２０７で表示された画面の直前の画面はステップＳ２０３で表示された券種及び金種の指定を受け付けるための画面だった場合（ステップＳ２０９；Ｎｏ）には、ステップＳ２０３に戻る。
【００８８】
また、ステップＳ２０７で表示された画面で、次の偽造紙幣に係る注意内容の確認に進むことを示す「次に」ボタンの押下を受け付けると（ステップＳ２０８；Ｎｏ、ステップＳ２１１；Ｎｏ）、ステップＳ２０６に戻る。また、ステップＳ２０７で表示された画面で、注意喚起データ２５２に登録されたステップＳ２０３で指定された券種及び金種に対する注意内容の確認を全て終了したことを示す確認終了ボタンの押下を受け付けると（ステップＳ２１１；Ｙｅｓ）、貨幣検査部２６３は、検査イメージデータ１５４と、ステップＳ２０７で受け付けたそれぞれの注意内容に対する「真券」ボタン又は「偽券」ボタンの操作結果に基づいて処理履歴を作成し、作成した処理履歴を処理履歴データ２５５に登録して（ステップＳ２１２）、処理を終了する。具体的には、ステップＳ２０７で受け付けた確認結果の少なくともいずれか一つが「偽券」ボタンにより偽券の判定が行われている場合には、作成する処理履歴の判定結果は「偽券」とし、偽券判定グループ番号には「偽券」と判定した注意喚起情報に対応するグループ番号を登録する。また、ステップＳ２０７で受け付けた確認結果が全て「真券」ボタンにより新券である旨の判定が行われている場合には、作成する処理履歴の判定結果は「真券」とする。
【００８９】
上述してきたように、実施例２では、貨幣処理装置２００は、入手した偽造貨幣に係る特徴情報に基づいて、偽造貨幣の種類ごとに貨幣上の注意すべき領域ごとの注意すべき内容と偽造貨幣の重要度とを注意喚起情報として券種及び金種に関連付けて登録でき、真偽判定対象の貨幣の画像を取得し、真偽判定対象の貨幣の券種及び金種を特定したならば、事前に登録された偽造貨幣の種類ごとの注意喚起情報に基づいて、取得した貨幣の画像上に重要度の順番で偽造貨幣の種類ごとに注意すべき領域を示すとともに、注意すべき内容を注意すべき領域に対応付けて表示するよう構成したので、新たな偽造貨幣が発見され、金融機関が発見された偽造貨幣に係る特徴の情報を入手した時に、同一の券種及び金種に対して偽造貨幣の情報が複数となったとしても偽造貨幣であるか否かの判定作業を適切且つ効率的に行うことができる。
【００９０】
なお、実施例１及び実施例２では、紙幣の真偽判定処理に係る実施例を説明してきたが、本発明は対象を紙幣の真偽判定に限定するものではない。例えば、対象を硬貨としてもよいし、商品券や小切手などの有価媒体を対象としてもよい。
【００９１】
また、実施例１及び実施例２では、貨幣処理装置１００、２００は、貨幣の入出金処理を行う貨幣入出金機とは別の装置として説明してきたが、本発明はこれに限定されるものではない。例えば、本発明に係る貨幣入出金機が内部に備える画像取得部で画像を取得し、実施例１又は実施例２で説明した制御部１６０が有する処理部及び記憶部１５０が有するデータを貨幣入出金機上に実装して、実施例１又は実施例２で説明した機能を貨幣入出金機で実現できるようにしてもよい。
【００９２】
また、実施例１及び実施例２では、図３（ａ）に示すように、イメージスキャナ１３０は貨幣の表面と裏面を別々にスキャンするようになっているが、本発明はこれに限定されるものではなく、表面と裏面とを同時にスキャンできるような機器を接続して、１回の操作で表面と裏面とを同時にスキャンしてもよい。
【００９３】
また、実施例１及び実施例２では、注意喚起情報は貨幣の画像情報と、その画像上の注意すべき領域の情報と、該領域に対応付けられた注意情報である文字情報とを含む旨の説明を行ってきたが、本発明はこれに限定されるものではない。例えば、画像情報が静止画ではなく動画であってもよい。動画の場合には、動画内に注意すべき領域を示す情報や注意情報が含まれるようになっていてもよい。また、文字情報は、音声として出力されてもよい。
【００９４】
また、上述の実施例１及び実施例２で図示した各構成は機能概略的なものであり、必ずしも物理的に図示の構成をされていることを要しない。すなわち、各装置の分散・統合の形態は図示のものに限られず、その全部又は一部を各種の負荷や使用状況などに応じて、任意の単位で機能的又は物理的に分散・統合して構成することができる。
【産業上の利用可能性】
【００９５】
以上のように、本発明に係る有価媒体処理装置及び有価媒体処理方法は、新たな偽造貨幣が発見され、金融機関が発見された偽造貨幣に係る特徴の情報を入手した時に、偽造貨幣であるか否かの判定作業を適切且つ効率的に行うことに適している。
【符号の説明】
【００９６】
１００、２００  貨幣処理装置
１１０  表示部
１２０  入力部
１３０  イメージスキャナ
１４０  通信部
１５０  記憶部
１５１  操作者データ
１５２、２５２  注意喚起データ
１５３  登録イメージデータ
１５４  検査イメージデータ
１５５、２５５  処理履歴データ
１６０  制御部
１６１  操作者認証部
１６２、２６２  注意喚起データ管理部
１６３、２６３  貨幣検査部
１６４  履歴照会処理部
【図１】
0006549423.tif 000002
【図２】
0006549423.tif 000003
【図３】
0006549423.tif 000004
【図４】
0006549423.tif 000005
【図５】
0006549423.tif 000006
【図６】
0006549423.tif 000007
【図７】
0006549423.tif 000008
【図８】
0006549423.tif 000009
【図９】
0006549423.tif 000010
【図１０】
0006549423.tif 000011